(57)【要約】      （修正有）【課題】調節可能なスライドレール機構を提供する。【解決手段】スライドレール機構２０はスライドレールと、接続装置２４とを含む。接続装置２４は、第１のコンポーネントと、第２のコンポーネントと、操作部材とを含む。第１のコンポーネントはスライドレールに接続される。第２のコンポーネントは第１のコンポーネントに対して可動である。操作部材は第２のコンポーネントをスライドレールに対して横方向に変位することにより調節するように構成されている。【選択図】図１
2020049199.tif 000002
【特許請求の範囲】
【請求項１】
スライドレールと、
接続装置と、
を含むスライドレール機構であって、
前記接続装置は、
前記スライドレールに取り外し可能に接続される第１のコンポーネントと、
前記第１のコンポーネントに対して可動な第２のコンポーネントと、
前記第２のコンポーネントを前記スライドレールの長手長さ方向に対して横方向に変位することにより調節するための操作部材と、を含む、スライドレール機構。
【請求項２】
前記接続装置は前記第１のコンポーネントに可動に取り付けられる係合部材を含み、前記第１のコンポーネントは該係合部材を通じて前記スライドレールに取り外し可能に接続され、
前記係合部材は前記第１のコンポーネントに枢結され、
前記係合部材は、前記スライドレールの対応構造と係合するための少なくとも１つの係合部を含み、
前記係合部材は弾性部を通じて前記第１のコンポーネントに押し付けられ、
前記第１のコンポーネントは、前記スライドレールの前部に隣接する位置で前記スライドレールに締結されるように構成された締結部を含む、請求項１に記載のスライドレール機構。
【請求項３】
前記第１のコンポーネント及び前記第２のコンポーネントは、第１のガイド構造及び第２のガイド構造の協働を通じて限られた範囲で互いに対して横方向に変位可能であり、
前記第１のガイド構造は突起であり、前記第２のガイド構造はスロットであり、該突起は該スロットよりも小さい、請求項１に記載のスライドレール機構。
【請求項４】
前記操作部材は、偏心調節を通じて前記第２のコンポーネントを横方向に変位することにより調節するように構成され、
前記操作部材は第１の部分、第２の部分及び操作部を含み、該第１の部分は実質的に円形の突起であり、該第２の部分は該第１の部分の円の中心以外の位置で該第１の部分に接続され、
前記第１のコンポーネント及び前記第２のコンポーネントのうちの一方は第１の構造を含み、前記第１のコンポーネント及び前記第２のコンポーネントのうちの他方は第２の構造を含み、
前記操作部材の第１の部分は前記第１の構造に挿入され、前記操作部材の第２の部分は前記第２の構造に挿入されている、請求項１に記載のスライドレール機構。
【請求項５】
第１のレールと、
第２のレールであって、該第２のレールと前記第１のレールとは互いに対して長手方向に変位可能である、第２のレールと、
接続装置と、
を含むスライドレール機構であって、
前記接続装置は、
前記第１のレールに接続される第１のコンポーネントと、
前記第１のコンポーネントに対して可動な第２のコンポーネントと、
前記第２のコンポーネントを前記第１のレールに対して横方向に変位することにより調節するための操作部材と、を含む、スライドレール機構。
【請求項６】
前記第１のレール及び前記第２のレールのうちの一方に配置されるストップ構造と、前記第１のレール及び前記第２のレールのうちの他方に取り外し可能に取り付けられるフィッティングとをさらに含み、
前記フィッティングが前記第１のレール及び前記第２のレールのうちの他方に取り付けられ、前記第１のレールが前記第２のレールに対して引っ込められている場合、前記フィッティングは、前記第１のレールが前記第２のレールに対して複数の異なる長手方向位置のうちの１つに位置するように又は前記第２のレールに対して同じ長手方向位置に位置するように前記ストップ構造と当接し、
前記スライドレール機構はベースをさらに含み、該ベースは前記第１のレール及び前記第２のレールのうちの他方に接続され、前記フィッティングは前記ベースに取り外し可能に取り付けられる、請求項５に記載のスライドレール機構。
【請求項７】
前記フィッティングは調節装置を含み、該調節装置は調節要素を含み、該調節要素は前記ベースに調節可能に取り付けられ、
前記第１のレールが前記第２のレールに対して引っ込められている場合、前記調節要素は前記ストップ構造と当接する、請求項６に記載のスライドレール機構。
【請求項８】
前記調節装置は取り付け要素をさらに含み、前記調節要素は該取り付け要素を通じて前記ベースに取り付けられ、該取り付け要素及び前記調節要素は互いにネジ接続されている、請求項７に記載のスライドレール機構。
【請求項９】
前記フィッティングはストッパを含み、
前記ストッパが前記ベースに取り付けられ、前記第１のレールが前記第２のレールに対して引っ込められている場合、前記ストッパは、前記第１のレールが前記第２のレールに対して同じ長手方向位置に位置するようにするために、前記ストップ構造と当接する、請求項６に記載のスライドレール機構。
【請求項１０】
第１の家具部及び第２の家具部のために適合されたスライドレール機構であって、
当該スライドレール機構は、
第１のレールと、
第２のレールであって、前記第１のレールは該第２のレールに対して長手方向に変位可能であり、該第２のレールは前記第２の家具部に接続されるように構成されている、第２のレールと、
接続装置と、
を含み、
前記接続装置は、
前記第１のレールに取り外し可能に接続される第１のコンポーネントと、
前記第１のコンポーネントに対して可動な第２のコンポーネントであって、該第２のコンポーネントは前記第１の家具部に接続されるように構成されている、第２のコンポーネントと、
前記第２のコンポーネントを前記第１のコンポーネントに対して横方向に変位することにより調節するための操作部材と、を含み、
当該スライドレール機構は前記第１のレール及び前記第２のレールのうちの一方に配置されるストップ構造と、前記第１のレール及び前記第２のレールのうちの他方に取り外し可能に取り付けられるフィッティングとをさらに含み、
前記フィッティングが前記第１のレール及び前記第２のレールのうちの他方に取り付けられ、前記第１のレールが前記第２のレールに対して引っ込められている場合、前記フィッティングは、前記第１のレールが前記第２のレールに対して複数の異なる長手方向位置のうちの１つで位置するようにために前記ストップ構造と当接する、スライドレール機構。
【発明の詳細な説明】
【技術分野】
【０００１】
本発明はスライドレールに関し、より具体的には調節可能なスライドレール機構に関する。
【背景技術】
【０００２】
スライドレール機構は、家具や電子機器のために設計されたラックシステム等に幅広く適用されてきた。家具を一例に取ってみる。キャビネットにおいて用いるためのスライドレール機構は固定レールと、固定レールに対して長手方向に変位可能な可動レールとを通常含む。一般に、固定レールはキャビネット本体に固定され、可動レールは、可動レールを通じてキャビネット本体に対し引き出しを動かすことができるように引き出しを保持するように構成されている。
【０００３】
スライドレール又は家具部品の公差に対処するために、スライドレール機構が調節可能であることが市場から求められることが時折ある。
【先行技術文献】
【特許文献】
【０００４】
【特許文献１】米国特許第９９０７３９９号明細書
【特許文献２】米国特許第９１７９７７１号明細書
【特許文献３】米国特許第９１２５４９０号明細書
【特許文献４】米国特許第８９７９２２３号明細書
【特許文献５】米国特許第８９１９７１１号明細書
【発明の概要】
【０００５】
本発明は調節可能なスライドレール機構に関する。
【課題を解決するための手段】
【０００６】
本発明の一態様によれば、スライドレール機構はスライドレールと、接続装置とを含む。接続装置は、第１のコンポーネントと、第２のコンポーネントと、操作部材とを含む。第１のコンポーネントはスライドレールに取り外し可能に接続される。第２のコンポーネントは第１のコンポーネントに対して可動である。操作部材は第２のコンポーネントをスライドレールの長手長さ方向（longitudinal  length  direction）に対して横方向に変位することにより調節する（transversely  displace,  and  thereby  adjust）ように構成されている。
【０００７】
接続装置は第１のコンポーネントに可動に取り付けられる係合部材を含み、第１のコンポーネントは該係合部材を通じてスライドレールに取り外し可能に接続されることが好ましい。
【０００８】
係合部材は前記第１のコンポーネントに枢結され、スライドレールの対応構造と係合するための少なくとも１つの係合部を含み、弾性部を通じて第１のコンポーネントに押し付けられていることが好ましい。
【０００９】
第１のコンポーネントは、スライドレールの前部に隣接する位置でスライドレールに締結されるように構成された締結部を含むことが好ましい。
【００１０】
第１のコンポーネント及び第２のコンポーネントは、第１のガイド構造及び第２のガイド構造の協働のおかげで限られた範囲で互いに対して横方向に変位可能であることが好ましい。
【００１１】
第１のガイド構造は突起であり、第２のガイド構造はスロットであり、該突起は該スロットよりも小さいことが好ましい。
【００１２】
スライドレール機構は別のスライドレール（以下第２のスライドレールという）を含み、第１のスライドレールは第２のスライドレールに対して長手方向に変位可能であることが好ましい。
【００１３】
操作部材は、偏心調節（eccentric  adjustment）により第２のコンポーネントを横方向に変位することにより調節するように構成されていることが好ましい。
【００１４】
操作部材は第１の部分、第２の部分及び操作部を含み、第１の部分は実質的に円形の突起であり、第２の部分は該第１の部分の円の中心以外の位置で第１の部分に接続されることが好ましい。また、第１のコンポーネント及び第２のコンポーネントのうちの一方は第１の構造を含み、第１のコンポーネント及び第２のコンポーネントのうちの他方は第２の構造を含み、操作部材の第１の部分は第１の構造に挿入され、操作部材の第２の部分は第２の構造に挿入されていることが好ましい。
【００１５】
第２のコンポーネントは第１の家具部に接続されるように構成され、第２のスライドレールは第２の家具部に接続されるよう構成されていることが好ましい。
【００１６】
スライドレール機構は、第１のスライドレール及び第２のスライドレールのうちの一方に配置されるストップ構造と、第１のスライドレール及び第２のスライドレールのうちの他方に取り外し可能に取り付けられるフィッティングとをさらに含むことが好ましい。フィッティングが第１のスライドレール及び第２のスライドレールのうちの他方に取り付けられ、第１のスライドレールが第２のスライドレールに対して引っ込められている場合、フィッティングは、第１のスライドレールが第２のスライドレールに対して複数の異なる長手方向位置のうちの１つに位置するように又は第２のスライドレールに対して同じ長手方向位置に位置するようにストップ構造と当接する。
【００１７】
スライドレール機構は、第１のスライドレール及び第２のスライドレールのうちの他方に接続されるベースをさらに含み、フィッティングはベースに取り外し可能に取り付けられることが好ましい。
【００１８】
フィッティングは調節装置を含み、調節装置は、ベースに調節可能に取り付けられる調節要素を含むことが好ましい。第１のスライドレールが第２のスライドレールに対して引っ込められている場合、調節要素はストップ構造と当接する。
【００１９】
調節装置は取り付け要素をさらに含み、調節要素は該取り付け要素を通じてベースに取り付けられ、取り付け要素及び調節要素は互いにネジ接続されていることが好ましい。
【００２０】
フィッティングはストッパを含むことが好ましい。ストッパがベースに取り付けられ、第１のスライドレールが第２のスライドレールに対して引っ込められている場合、ストッパは、第１のスライドレールが第２のスライドレールに対して同じ長手方向位置に位置するようにするために、ストップ構造と当接する。
【図面の簡単な説明】
【００２１】
【図１】図１は、本発明の一実施形態に係るスライドレール機構の斜視図である。
【図２】図２は、本発明の実施形態に係るスライドレール機構の分解斜視図である。
【図３】図３は、本発明の実施形態に係るスライドレール機構の第１のレールに配置された接続装置の斜視図であり、接続装置の操作部材がまだ操作されていない状態を示す。
【図４】図４は、本発明の実施形態に係るスライドレール機構の第１のレールに配置された接続装置の斜視図であり、接続装置の操作部材が特定の方向に操作されている状態を示す。
【図５】図５は、本発明の実施形態に係るスライドレール機構の第１のレールに配置された接続装置の斜視図であり、接続装置の操作部材が反対方向に操作されている状態を示す。
【図６】図６は、本発明の実施形態に係るスライドレール機構のスライドレールの概略図であり、スライドレールが家具に適用され、接続装置の操作部材はまだ操作されていない状態を示す。
【図７】図７は、本発明の実施形態に係るスライドレール機構のスライドレールの概略図であり、スライドレールが家具に適用され、家具の第１の家具部の位置を第２の家具部に対して第１の方向に調節するために接続装置の操作部材が操作されている状態を示す。
【図８】図８は、本発明の実施形態に係るスライドレール機構のスライドレールの概略図であり、スライドレールが家具に適用され、家具の第１の家具部の位置を第２の家具部に対して第２の方向に調節するために接続装置の操作部材が操作されている状態を示す。
【図９】図９は、本発明の実施形態に係るスライドレール機構の調節装置の第１の実施例をとりわけ示し、調節装置は第１のレールに取り付けられ且つ第１の状態にある。
【図１０】図１０は、本発明の実施形態に係るスライドレール機構の調節装置の第１の実施例をとりわけ示し、調節装置は第２の状態にある。
【図１１】図１１は、本発明の実施形態に係るスライドレール機構の調節装置の第１の実施例をとりわけ示し、調節装置は第３の状態にある。
【図１２】図１２は、本発明の実施形態に係るスライドレール機構の概略図であり、スライドレール機構が家具に適用され、スライドレール機構の第１のレールが第２のレールに対して伸長位置にある状態を示す。
【図１３】図１３は、本発明の実施形態に係るスライドレール機構の第２のレールが第１のレールに対して引っ込められているとともに、第１の実施例に従って用いられる調節装置が第１の状態にある場合を示す概略図である。
【図１４】図１４は、本発明の実施形態に係るスライドレール機構の第２のレールが第１のレールに対して引っ込められているとともに、第１の実施例に従って用いられる調節装置が第２の状態にある場合を示す概略図である。
【図１５】図１５は、本発明の実施形態に係るスライドレール機構の第２のレールが第１のレールに対して引っ込められているとともに、第１の実施例に従って用いられる調節装置は第３の状態にある場合を示す概略図である。
【図１６】図１６は、本発明の実施形態に係るスライドレール機構の調節装置の第２の実施例をとりわけ示す斜視図である。
【図１７】図１７は、本発明の実施形態に係るスライドレール機構の概略図であり、スライドレール機構が家具に適用されるとともに、第２の実施例に係る調節装置を用い、スライドレール機構の第１のレールは第２のレールに対して伸長位置にある状態を示す。
【図１８】図１８は、本発明の実施形態に係るスライドレール機構の概略図であり、スライドレール機構が第２の実施例に係る調節装置を用い、スライドレール機構の第２のレールは第１のレールに対して引っ込められている状態を示す。
【発明を実施するための形態】
【００２２】
図１及び図２を参照して、本発明の一実施形態に係るスライドレール機構２０は第１のレール２２（添付の特許請求の範囲ではスライドレールとも呼ぶ）及び接続装置２４を含む。スライドレール機構２０は、第２のレール２６（特許請求の範囲では別のスライドレールとも呼ぶ）、第３のレール２８（中間レールとしても知られる）、ストップ構造３０、ベース３４及びフィッティングをさらに含むことが好ましい。
【００２３】
第２のレール２６はレール部２６ａ、延長部２６ｂ及び縦部２６ｃを有する。延長部２６ｂはレール部２６ａと縦部２６ｃとの間に接続されている。第１のレール２２及び第２のレール２６は互いに対して長手方向に変位可能である。第３のレール２８は、第２のレール２６に対する第１のレール２２の長手方向の変位が可能な距離を増やすために、第２のレール２６（のレール部２６ａ）と第１のレール２２との間に可動に取り付けられることが好ましい。より具体的には、第１のレール２２は前部２５ａ及び後部２５ｂを有する。第１のレール２２は第１の側壁２２ａ、第２の側壁２２ｂ及び第１の側壁２２ａと第２の側壁２２ｂとの間に接続される長手壁２３とを含むことが好ましい。図１に示すように、第１のレール２２は第２のレール２６に対して伸長位置Ｅに変位可能である。
【００２４】
ストップ構造３０は、第１のレール２２及び第２のレール２６のうちの一方に配置される。ここでは、一例として、ストップ構造３０は第２のレール２６の延長部２６ｂに配置される。ストップ構造３０は限定されないが突出ブロック又はストップ壁であり得る。第２のレール２６は前部２７ａ及び後部２７ｂを有する。ストップ構造３０は前部２７ａに隣接する位置で第２のレール２６に配置されることが好ましい。
【００２５】
ベース３４は第１のレール２２及び第２のレール２６のうちの他方に接続される。ここでは、一例として、ベース３４は第１のレール２２に接続される。ベース３４は限定されないが第１のレール２２に固定又は取り外し可能に接続され得る。ベース３４は前部２５ａに隣接する位置で第１のレール２２に接続されることが好ましい。ベース３４は長手方向に配置されるとともに包囲壁３６と包囲壁３６に接続される接続部３８とを含むことが好ましい。包囲壁３６は空間Ｓを取り囲み、それにより空間Ｓを定義する。包囲壁３６は接続部３８を通じて、（例えば、ネジ接続、はんだ付け又はリベット留めにより）第１のレール２２の第１の側壁２２ａに接続される。この実施形態では、包囲壁３６は一例として半環状の輪郭を有し、空間Ｓと連通するノッチ４０を含む。しかしながら、実際には、包囲壁３６は必ずしもそのように構成されている必要はない。
【００２６】
フィッティングは第１のレール２２に取り外し可能に取り付けられるとともに、調節装置４２を含む。より具体的には、調節装置４２は取り付け要素４４及び調節要素４６を含む。取り付け要素４４及び調節要素４６は、互いに対して調節できるように接続される。例えば、取り付け要素４４及び調節要素４６は、互いに対してネジで接続される。取り付け要素４４はベース３４の空間Ｓに受容されて取り付けられ、第１のネジ４８を有する。取り付け要素４４は、取り付け要素４４がベース３４と係合するようにベース３４のノッチ４０に挿入されるストップ部４４ａを有することが好ましい。調節要素４６は本体４６ａを含み、本体４６ａに接続される頭部４６ｂも含むことが好ましい。本体４６ａは第２のネジ４６ｃを有し、頭部４６ｂは本体４６ａよりも大きい。第２のネジ４６ｃと第１のネジ４８との係合を通じて調節要素４６の本体４６ａが取り付け要素４４にネジ接続されると、頭部４６ｂはベース３４の空間Ｓの外で留まる。調節要素４６と取り付け要素４４とを調節可能に接続することにより、取り付け要素４４に対して調節要素４６の位置を調節できるため、調節装置４２の長さ（長手方向の長さ）を調節できる。なお、本実施形態では、調節要素４６と取り付け要素４４とをネジ接続することで調節可能な構成が得られているが、このネジ接続は必要不可欠ではない。例えば、このような構成に代えて、調節要素４６とベース３４とをネジ接続することができる。即ち、長さの調節は、必ずしも取り付け要素４４に依存するものではない。調節装置４２の長さを調節できれば、長さの調節は必ずしもネジ接続に依存するものでもない。
【００２７】
図２及び図３に示すように、接続装置２４は第１のコンポーネント５０、第２のコンポーネント５２及び操作部材５４を含む。
【００２８】
第１のコンポーネント５０は第１のレール２２に接続される。例えば、第１のコンポーネント５０は第１のレール２２に取り外し可能に接続されるが、実際には必ずしも取り外し可能に接続されてなくてもよい。接続装置２４は、第１のコンポーネント５０に可動に取り付けられる係合部材５６をさらに含むことが好ましい。例えば、係合部材５６はシャフト５８を通じて第１のコンポーネント５０に枢結される。第１のコンポーネント５０は係合部材５６を通じて第１のレール２２に取り外し可能に接続される。より具体的には、係合部材５６は、第１のレール２２の第２の側壁２２ｂの対応構造６２と係合するために少なくとも１つの係合部６０を含み、係合部材５６は弾性部６４を通じて第１のコンポーネント５０の部位６５に押し付けられ、それにより所定の位置で維持される。少なくとも１つの係合部６０は段状の輪郭を有する突起であり、第１のレール２２の対応構造６２は孔であることが好ましい。限定ではなく一例として、少なくとも１つの係合部６０は第１のレール２２の対応構造６２の孔壁６２ａと係合可能である。第１のコンポーネント５０は、第１のコンポーネント５０を第１のレール２２にしっかり接続するのを助けるために、第１のレール２２の前部２５ａに隣接する位置で第１のレール２２の第２の側壁２２ｂに締結される締結部６６（例えば、限定されないが締結フック）を含むことが好ましい。
【００２９】
第２のコンポーネント５２は第１のコンポーネント５０に対して動かすことができる。第１のコンポーネント５０及び第２のコンポーネント５２は、第１のコンポーネント５０の第１のガイド構造６８と第２のコンポーネント５２の第２のガイド構造７０との間の協働を通じて、限られた範囲で互いに対して横方向に（transversely）変位可能であることが好ましい。第１のガイド構造６８は突起であり、第２のガイド構造７０は境界を有するスロットであり、スロットは第２のレール２４の長手長さ方向に対して横方向に延び、突起６８はスロットよりも小さく、スロットの一部に挿入される。
【００３０】
操作部材５４は第２のコンポーネント５２を第１のレール２２に対して横方向に変位し、それにより第２のコンポーネント５２を調節するように構成されている。より具体的には、操作部材５４は、第２のコンポーネント５２を第１のレール２２の長手長さ方向に対して（又は第１のレール２２の長手壁２３に対して）横方向に変位し、それにより第２のコンポーネント５２を調節するように構成されている。操作部材５４は偏心調節（eccentric  adjustment）を通じて、第２のコンポーネント５２を横方向に変位し、それにより第２のコンポーネント５２を調節するように構成されていることが好ましい。操作部材５４は第１の部分５４ａ、第２の部分５４ｂ及び操作部５４ｃを含むことが好ましい。第１の部分５４ａは実質的に円形の突起であり、第２の部分５４ｂは第１の部分５４ａの円の中心以外に位置で第１の部分５４ａに接続される。第１のコンポーネント５０及び第２のコンポーネント５２のうちの一方（例えば第２のコンポーネント５２）は第１の構造７２を含み、第１のコンポーネント５０及び第２のコンポーネント５２のうちの他方（例えば第１のコンポーネント５０）は第２の構造７４を含む。例えば、第１の構造７２は第１の孔であり、第２の構造７４は第２の孔であり、第２の孔は第１の孔よりも小さい。操作部材５４の第１の部分５４ａは第１の構造７２に挿入され、操作部材５４の第２の部分５４ｂは第２の構造７４に挿入される。第２の孔は長手孔であり、操作部材５４の第２の部分５４ｂは第２の構造７４よりも僅かに小さい。操作部５４ｃは、例えば、操作部材５４を回転させるためにユーザーが操作部材５４に力を容易に加えることができるロッド又は伸長アームである。操作部材５４及び第２のコンポーネント５２は、操作部材５４の操作部５４ｃが操作された場合に、操作部材５４を第２のコンポーネント５２に対して複数の所定の位置のうちのいずれかで維持するために複数の弓状に配置された凹部（arcuately  arranged  recesses）（又は孔）７８と突起７６とが協働するように設計されていることが好ましい。例えば、突起７６は、操作部材５４の弾性部５４ｄの弾性力の下で第２のコンポーネント５２の凹部７８のうちのいずれか１つと係合するために弾性部５４ｄに位置し得る。
【００３１】
図３及び図４に示すように、第１のコンポーネント５０が係合部材５６の締結部６６又は係合部６０を通じて第１のレール２２に接続されると、第１のコンポーネント５０は第１のレール２２に対して固定されるが、第２のコンポーネント５２は第１のレール２２（又は第１のコンポーネント５０）に対して動かすことができる。より具体的には、ユーザーが操作部材５４の操作部５４ｃに対して第１の回転方向Ｒ１に力を加えた場合、第２のコンポーネント５２は、操作部材５４が第１の回転方向Ｒ１に動くのに対応して、第１のレール２２に対して所定の位置Ｔ０（図３参照）から第１の位置Ｔ１（図４参照）へと第１の方向Ｄ１の方に横方向に変位される。例えば、操作部材５４が第１の回転方向Ｒ１に動かされた場合、操作部材５４の第１の部分５４ａは第２のコンポーネント５２の第１の構造７２の壁７２ａを押圧し、それにより第２のコンポーネント５２を第１のレール２２に対して第１の方向Ｄ１の方に横方向に変位する。
【００３２】
図３と共に図５を参照して、ユーザーが操作部材５４の操作部５４ｃに対して第２の回転方向Ｒ２に力を加えた場合、第２のコンポーネント５２は、操作部材５４が第２の回転方向Ｒ２に動くのに対応して、第１のレール２２に対して所定の位置Ｔ０（図３参照）から第２の位置Ｔ２（図５参照）へと第１の方向Ｄ１の方に横方向に変位される。例えば、操作部材５４が第２の回転方向Ｒ２に動かされた場合、操作部材５４の第１の部分５４ａは第２のコンポーネント５２の第１の構造７２の壁７２ａを押圧し、それにより第２のコンポーネント５２を第１のレール２２に対して第２の方向Ｄ２の方に横方向に変位する。
【００３３】
図６を参照して、スライドレール機構２０は、第１の家具部８０（例えば引き出し）及び第２の家具部８２（例えばキャビネット本体）を含む家具に適用されている。より具体的には、第１のレール２２は第１の家具部８０の底部を保持するのに用いられ、接続装置２４の第１のコンポーネント５０は第１のレール２２に接続され、第２のコンポーネント５２は、ネジ接続、リベット留め又は機械係合等により第１の家具部８０に固定される。第２のレール２６（図６に図示せず）は第２の家具部８２に固定される。
【００３４】
図６と共に図７を参照して、ユーザーが操作部材５４に対して第１の回転方向Ｒ１に力を加えた場合、第２のコンポーネント５２及び第１の家具部８０は、操作部材５４が第１の回転方向Ｒ１に動くのに対応して第１のレール２２に対して所定の位置Ｔ０（図６参照）から第１の位置Ｔ１（図７参照）へと第１の方向Ｄ１の方に横方向に変位する。その結果、第１の家具部８０及び第２の家具部８２の対応する側壁の間の距離は、所定の距離Ｇ０（図６参照）から第１の距離Ｇ１（図７参照）に調節され、第１の距離Ｇ１は所定の距離Ｇ０よりも大きい。
【００３５】
図６と共に図８を参照して、上記に代えて、ユーザーが操作部材５４に対して第２の回転方向Ｒ２に力を加えた場合、第２のコンポーネント５２及び第１の家具部８０は、操作部材５４が第２の回転方向Ｒ２に動くのに対応して第１のレール２２に対して所定の位置Ｔ０（図６参照）から第２の位置Ｔ２（図８参照）へと第２の方向Ｄ２の方に横方向に変位する。その結果、第１の家具部８０及び第２の家具部８２の対応する側壁の間の距離は、所定の距離Ｇ０（図６参照）から第２の距離Ｇ２（図８参照）に調節され、第２の距離Ｇ２は所定の距離Ｇ０よりも小さい。
【００３６】
図９に示すように、ベース３４は前部２５ａに隣接する位置で第１のレール２２に接続される。調節要素４６が取り付け要素４４に対して調節される前は調節装置４２はベース３４の外に第１の長さＬ１を有する。この状態にある調節要素４６は、取り付け要素４４に対して特定の位置に、例えば第１の長手方向位置Ｐ１にある。
【００３７】
図１０では、調節要素４６は、ベース３４の外に出る調節装置４２の長さが第２の長さＬ２に調節されるように取り付け要素４４に対して例えば時計回りに回転されている。この状態の調節要素４６は、取り付け要素４４に対して別の位置に、例えば第２の長手方向位置Ｐ２にある。
【００３８】
図１１では、調節要素４６は取り付け要素４４に対して例えば反時計回りに回転されている。その結果、ベース３４の外に出る調節装置４２の長さは第３の長さＬ３に調節されている。この状態の調節要素４６は、取り付け要素４４に対してさらに別の位置に、例えば第３の長手方向位置Ｐ３にある。
【００３９】
第１の長手方向位置Ｐ１、第２の長手方向位置Ｐ２及び第３の長手方向位置Ｐ３は異なる位置である。第１の長さＬ１、第２の長さＬ２及び第３の長さＬ３は異なる長さである。
【００４０】
図１２を参照して、第１の家具部８０はフロントパネル８０ａを含む。第２のレール２６は第２の家具部８２に固定取り付けされるため、第２の家具部８２の一部と見ることができる。他方、第１のレール２２は第１の家具部８０の底部を保持するため、第１の家具部８０の一部と見ることができる。第２のレール２６に対して第１のレール２２が伸長位置Ｅにある場合、調節要素４６は第２のレール２６のストップ構造３０から離間している。
【００４１】
図１２及び図１３に示すように、調節装置４２は、家具又はスライドレール機構２０に深さ調節機能を提供するために又は第２のレール２６（又は第２の家具部８２）と第１のレール２２（又は第１の家具部８０）の公差を補償するための調節機構としての役割を果たすために（まとめて第１のニーズの満たすためと言う）ベース３４に取り付けて用いることができる。
【００４２】
より具体的には、調節装置４２がベース３４に取り付けられ且つ調節要素４６が取り付け要素４４（又は他の実施形態では調節要素４６のネジ構造に対応するネジ構造を備えるベース３４）に対して調節される前に、即ち、調節装置４２が第１の長さＬ１を有する場合、第２のレール２６に対して第１のレール２２を伸長位置Ｅから引っ込め方向Ｄに引っ込めることにより（例えば、完全に引っ込められるまで）、第１のレール２２が第２のレール２６に対して特定の長手方向位置に（例えば、前述の第１の長手方向位置Ｐ１に）到達するように調節要素４６の頭部４６ｂがストップ構造３０（図１３参照）に当接させられる。
【００４３】
図１４を参照して、調節装置４２が第２の長さＬ２を有するように調節要素４６が取り付け要素４４又はベース３４に対して調節されている場合、第１のレール２２を第２のレール２６に対して伸長位置Ｅから引っ込め方向Ｄに引っ込めることによって（例えば、完全に引っ込められるまで）も、調節要素４６の頭部４６ｂはストップ構造３０に当接させられるが、この場合には第１のレール２２は第２のレール２６に対して別の長手方向位置に（例えば、前述の第２の長手方向位置Ｐ２に）到達する。
【００４４】
図１５を参照して、調節装置４２が第３の長さＬ３を有するように調節要素４６が取り付け要素４４又はベース３４に対して調節されている場合、第１のレール２２を第２のレール２６に対して伸長位置Ｅから引っ込め方向Ｄに引っ込めることによって（例えば、完全に引っ込められるまで）も、調節要素４６の頭部４６ｂはストップ構造３０と当接させられるが、この場合には第１のレール２２は第２のレール２６に対してさらに別の長手方向位置に（例えば、前述の第３の長手方向位置Ｐ３に）到達する。
【００４５】
上記から、調節装置４２の長さを調節し且つ調節装置４２をストップ構造３０に当接されることにより、第１のレール２２が第２のレール２６に対して引っ込められた場合に、第１のレール２２を異なる長手方向位置で（即ち、異なる深さで）（例えば、第１の長手方向位置Ｐ１、第２の長手方向位置Ｐ２又は第３の長手方向位置Ｐ３で）止めることができる。なお、調節装置４２が特定の長さ（例えば第１の長さＬ１）を有するのを維持するように、調節装置４２の調節要素４６が第１のニーズに従って取り付け要素４４に対して調節されていない場合、第１のレール２２は、第１のレール２２を第２のレール２６に対して伸長位置Ｅから引っ込め方向Ｄに（例えば、完全に引っ込められるように）引っ込めることにより調節要素４６がストップ構造３０と当接される毎に第２のレール２６に対して同じ長手方向位置に（例えば第１の長手方向位置Ｐ１に）到達する。即ち、第１のレール２２が第２のレール２６に対して引っ込められる場合に第１の長手方向位置Ｐ１以外の長手方向位置に（例えば、第２の長手方向位置Ｐ２又は第３の長手方向位置Ｐ３）到達させるためには、調節要素４６を取り付け要素４４に対して調節しなければならない。
【００４６】
図１６を参照して、調節装置４２が予めベース３４に取り付けられている場合、ユーザーはベース３４から調節装置４２を取り外し、（フィッティングに含まれる）ストッパ４３を調節装置４２があった位置と同じ位置でベース３４に取り外し可能に取り付ける。即ち、フィッティングの調節装置４２又はストッパ４３を、ユーザーのニーズに応じて選択的にベース３４に取り付けることができる。より具体的には、引っ込められている場合に又は騒音を低減するために（まとめて第２のニーズを満たすことという）レール２２を第２のレール２６に対して実質的に同じ位置で維持するためにストッパ４３をベース３４に取り付けることができる。なお、図１６のスライドレール機構２０の他の全ての構成要素（例えば第１のレール２２、第２のレール２６、ストップ構造３０及びベース３４）は上記で説明したのと同じ構成で配置されている。そのため、簡潔性のために、係る配置についての説明は省略する。
【００４７】
図１７及び図１８に示すように、ストッパ４３はベース３４の空間Ｓに取り付けられている。ストッパ４３はベース３４に取り外し可能に取り付けられている。例えば、ストッパ４３は空間Ｓ内に取り付けられる第１の部分４３ａを含む。ストッパ４３は第１の部分４３ａに接続される第２の部分４３ｂをさらに含み、第２の部分４３ｂは第１の部分４３ａ及び空間Ｓよりも大きいことが好ましい。第１の部分４３ａが空間Ｓ内に取り付けられると、第２の部分４３ｂはベース３４の空間Ｓの外に残る。ストッパ４３は非金属材料を含むことが好ましい。例えば、ストッパ４３はプラスチック又は可撓性材料を含む。
【００４８】
ストッパ４３がベースに取り付けられている場合、第２のレール２６に対して第１のレール２２を伸長位置Ｅから引っ込め方向Ｄに（例えば、完全に引っ込められるまで）引っ込めることにより、ストッパ４３（例えば第２の部分４３ｂ）がストップ構造３０に当接されられるため、第１のレール２２は第２のレール２６に対して常に同じ長手方向位置に（即ち同じ深さに）（例えば第４の長手方向位置Ｐ４に）到達する。即ち、第１のレール２２が第２のレール２６に対して伸長位置Ｅから引っ込め方向Ｄに（例えば完全に引っ込められるまで）引っ込められる毎に、ストッパ４３はストップ構造３０と当接して、第１のレール２２が第２のレール２６に対して第４の長手方向位置Ｐ４に実質的に常に到達するのを確かなものにする。加えて、第１のレール２２が第２のレール２６に対して第４の長手方向位置Ｐ４に引っ込められている場合、プラスチック又は可撓性材料を含むストッパ４３は、ストップ構造３０との当接の際に衝突の騒音を低減できるか又は緩衝効果を生成できる。
【００４９】
上記によれば、本発明のスライドレール機構は好ましくは下記の特徴を有する。
【００５０】
１）接続装置２４の第１のコンポーネント５０は第１のレール２２に接続可能であり、接続装置２４の第２のコンポーネント５２は第１のコンポーネント５０又は第１のレール２２に対して横方向に移動可能である。この構成により、第２のレール２６又は第２の家具部８２に対する第１の家具部８０の横方向位置を第２のコンポーネント５２で調節することができる。
【００５１】
２）調節装置４２の長さの調節に対応してスライドレールが別のスライドレールに対して異なる位置に到達できるようにして異なるニーズを満たすことができるようにするために、ユーザーはスライドレールにフィッティングの調節装置４２を選択的に取り付けることができる。あるいは、上記の第１のスライドレールが上記の第２のスライドレールに対して引っ込められる場合に実質的に同じ位置に到達するようにするために又は衝突の騒音の低減又は緩衝効果を生成する観点から、ユーザーはフィッティングのストッパ４３を上述した第１のスライドレールに選択的に取り付けることができる。
【００５２】
３）調節装置４２の長さを調節し、調節装置４２をストップ構造３０に衝突させることにより、家具の第１の家具部８０（又は第１のレール２２）は、第２の家具部８２（又は第２のレール２６）に対して引っ込められた場合に異なる長手方向位置で止めることができる。本発明は構造が簡素であるという特徴を有するとともに、市場の特定の操作上の要求を満たすことができる。
【００５３】
上述した好ましい実施形態を通じて本発明を開示してきたが、係る実施形態は本発明の範囲を限定することを意図したものではない。出願人が求める特許の保護範囲は添付の特許請求の範囲によって定義される。
【符号の説明】
【００５４】
２０  スライドレール機構
２２  第１のレール
２４  接続装置
２６  第２のレール
２８  第３のレール
３０  ストップ構造
３４  ベース
３６  包囲壁
３８  接続部
４０  ノッチ
４２  調節装置
４４  取り付け要素
４６  調節要素
４８  第１のネジ
５０  第１のコンポーネント
５２  第２のコンポーネント
５４  操作部材
５６  係合部材
５８  シャフト
６０  係合部
６２  対応構造
６４  弾性部
６６  締結部
６８  第１のガイド構造
７０  第２のガイド構造
７２  第１の構造
７４  第２の構造
７６  突起
７８  凹部
８０  第１の家具部
８２  第２の家具部
【図１】
2020049199.tif 000003
【図２】
2020049199.tif 000004
【図３】
2020049199.tif 000005
【図４】
2020049199.tif 000006
【図５】
2020049199.tif 000007
【図６】
2020049199.tif 000008
【図７】
2020049199.tif 000009
【図８】
2020049199.tif 000010
【図９】
2020049199.tif 000011
【図１０】
2020049199.tif 000012
【図１１】
2020049199.tif 000013
【図１２】
2020049199.tif 000014
【図１３】
2020049199.tif 000015
【図１４】
2020049199.tif 000016
【図１５】
2020049199.tif 000017
【図１６】
2020049199.tif 000018
【図１７】
2020049199.tif 000019
【図１８】
2020049199.tif 000020